(57)【要約】【課題】被収納物等が収納庫内の天面等に衝突することを防止でき、また被収納物を、簡易な機構かつ容易な操作で上昇させることが可能な収納庫を提供することを目的とする。【解決手段】本発明にかかる収納庫は、被収納物を収納可能な引出１３２をスライド自在に収容可能な収納庫（ベースキャビネット１３０）であって、引出内に配置され、被収納物を載置可能な載置部材１５０と、載置部材を上下方向に昇降させる昇降機構と、を備え、昇降機構は、収納庫内の壁面に配置されるレール１６０と、レールに案内されるプーリを有し、レールは、引出を引き出す方向の力を載置部材を上昇させる方向の力に変換する傾斜部１６２と、傾斜部に連続し、傾斜部より奥側に設けられた奥側水平部１６４とを有し、引出を収納したときにプーリが位置する奥側始点Ｐ１から奥側水平部と傾斜部の交点である上昇起点Ｐ２までの長さが、載置部材の奥行よりも長いことを特徴とする。【選択図】図２
2010183989.tif 000002
【特許請求の範囲】
【請求項１】
被収納物を収納可能な引出をスライド自在に収容可能な収納庫であって、
前記引出内に配置され、内部に被収納物を載置可能な載置部材と、
前記載置部材を上下方向に昇降させる昇降機構と、
を備え、
前記昇降機構は、当該収納庫内の壁面に配置されるレールと、該レールに案内されるプーリを有し、
前記レールは、前記引出を引き出す方向の力を前記載置部材を上昇させる方向の力に変換する傾斜部と、前記傾斜部に連続し、該傾斜部より奥側に設けられた水平部とを有し、
前記引出を収納したときにプーリが位置する奥側始点から前記水平部と前記傾斜部の交点である上昇起点までの長さが、前記載置部材の奥行よりも長いことを特徴とする収納庫。
【請求項２】
被収納物を収納可能な引出をスライド自在に収容可能な収納庫であって、
前記引出内に配置され、前記被収納物を載置可能な載置部材と、
前記載置部材を上下方向に昇降させる昇降機構と、
を備え、
前記昇降機構は、当該収納庫内の壁面に配置されるレールと、該レールに案内されるプーリを有し、
前記レールは、前記引出を引き出す方向の力を前記載置部材を上昇させる方向の力に変換する傾斜部と、前記傾斜部に連続し、該傾斜部より奥側に設けられた水平部とを有し、
当該収納庫から前記引出を最も引き出したときにプーリが位置する前側始点から前記水平部と前記傾斜部の交点である上昇起点までの長さが、該引出を最も引き出したときの該引出の突出量から前記載置部材の奥行を引いた長さよりも短いことを特徴とする収納庫。
【請求項３】
前記引出は、前記載置部材を支持する支持部材を更に備え、
前記載置部材は、前記支持部材に着脱可能であり、
前記昇降機構は、前記支持部材を上下方向に移動させることで前記載置部材を上昇または降下させることを特徴とする請求項１または２に記載の収納庫。
【請求項４】
前記引出は、前記支持部材と隣接する柱部材と、
前記支持部材と前記柱部材とを連結するバネと、
を更に備え、
前記バネは、上端を前記柱部材に、下端を前記支持部材に連結し、
前記昇降機構は、前記支持部材を上方向に移動させる力に前記バネの復元力を付加し、前記載置部材を上昇させることを特徴とする請求項３に記載の収納庫。
【請求項５】
前記載置部材は、前記引出の前板の背面に隣接する位置に設けられることを特徴とする請求項１に記載の収納庫。
【発明の詳細な説明】
【技術分野】
【０００１】
本発明は、引出を備えた収納庫であって、特に引出に収納した被収納物等の破損を防止でき、かつ被収納物を取り出しやすくすることが可能な収納庫に関する。
【背景技術】
【０００２】
キッチンで使用される調理器具には、ボウルやざる、長手の形状を有する杓子類（レードル）、菜箸、ラップ、調味料などの小物類、包丁など、様々なものがある。これらの調理器具等の被収納物を収納するために、従来から、キッチンの上に吊戸棚を設けたり、キッチンの下に開き戸や引出を有する収納庫を設けたりしていた。
【０００３】
上記の中でも、引出を有する収納庫は、引出に被収納物を上方から容易に収納でき、複数の引出を水平および垂直方向に並行して設けることで高い空間効率を得ることができる。これにより、上記の調理器具以外にも、碗、皿、カップ等の食器類、鍋、フライパン等の大きな調理器具、塩、胡椒等の調味料、食品、調味料等の瓶詰め又は缶詰容器など、大小様々な被収納物を上方から容易に収納することができる。
【０００４】
しかし、複数の引出を垂直方向に並列して設けた場合、使用者の腰よりも低い位置（以下、下方と称する。）に設けられた引出に収納した被収納物を取り出すためには、使用者は、腰を曲げ、屈んだ姿勢を取らなければならない。キッチンにおいて時間に追われながら作業をしている使用者にとって、被収納物を取り出す度にこのような動作を行うことは煩わしく、作業効率の低下を招いてしまう。
【０００５】
また上記のような動作は腰への負荷が大きい。このため、使用者が、健康な人間の場合にはさほど負担にならないかもしれないが、身体能力が低下し、身体の自由がきかない高齢者等であった場合、かかる動作は大きな負担となってしまう。
【０００６】
上述した問題を解決するために、例えば特許文献１には、キャビネット本体の下部に前後方向出し入れ自在な引出を備えたフロアーキャビネットであって、上記引出に上下昇降自在な収納棚を設けてなるフロアーキャビネットが開示されている。
【０００７】
特許文献１に記載のフロアーキャビネットによれば、引出には上下昇降自在な収納棚が設けられているので、上記引出は下位（下方）にあっても収納棚を上昇させることにより、同収納棚に収納される物品を上位（上方）で楽に出し入れすることができることとしている。
【０００８】
また、特許文献１に記載のフロアーキャビネットによれば、収納棚の左右両側に配設され、後端が引出の内側側面に枢支され、その前端が収納棚の外側壁面に枢着されることにより引出と収納棚を連結するリンク片の後方へ延設された延設部先端と引出との間に張設された引っ張りバネにより、同収納棚を上方へ付勢するバランサ機構が設けられていることで、同収納棚を手動でも上昇操作を軽く行うことができることとしている。
【先行技術文献】
【特許文献】
【０００９】
【特許文献１】特開２００７−３３０５６４号公報
【発明の概要】
【発明が解決しようとする課題】
【００１０】
しかし、特許文献１に記載のフロアーキャビネットでは、収納棚を上昇させた状態にさせるには引出をキャビネット本体から引き出した後、手動で収納棚を上方へ引き上げなければならない。かかる引出をキャビネットから引き出す操作と、収納棚を上方へ引き上げる操作は独立しており、収納棚がキャビネットから出終わる前に引き上げてしまう等、使用者の操作の如何によって、収納棚または被収納物とキャビネット本体内の天面等との衝突が発生してしまう恐れがある。
【００１１】
特に、上述したように使用者が高齢者等であった場合、使用者にこれらの操作を正確に行うことを要求するのは酷であり、また収納棚を引き上げる動作はかがむ動作以上に負担が大きい。
【００１２】
さらに、特許文献１に記載のバランサ機構では、引っ張りバネにより収納棚の上昇操作を付勢しているものの、テコの原理により、付勢を効果的に行うことができる引っ張りバネの取り付け位置とはなっていない。
【００１３】
本発明は、このような課題に鑑み、被収納物等が収納庫内の天面等に衝突することを防止でき、体への負荷の低減および利便性の向上が可能な収納庫を提供することを目的としている。
【課題を解決するための手段】
【００１４】
上記課題を解決するために、本発明の代表的な構成は、被収納物を収納可能な引出をスライド自在に収容可能な収納庫であって、引出内に配置され、被収納物を載置可能な載置部材と、載置部材を上下方向に昇降させる昇降機構と、を備え、昇降機構は、収納庫内の壁面に配置されるレールと、レールに案内されるプーリを有し、レールは、引出を引き出す方向の力を載置部材を上昇させる方向の力に変換する傾斜部と、傾斜部に連続し、傾斜部より奥側に設けられた水平部とを有し、引出を収納したときにプーリが位置する奥側始点から水平部と傾斜部の交点である上昇起点までの長さが、載置部材の奥行よりも長いことを特徴とする。
【００１５】
上記構成によれば、載置部材はその全体が収納庫から引き出されてから上昇するため、載置部材または被収納物が収納庫内で上昇し、収納庫内の天面等に衝突することを防止できる。また、引出を引き出す操作と載置部材を上昇させる操作は一体となっているため、使用者は引出を引き出すという簡易な動作を行うだけで載置部材を上昇させることが可能である。
【００１６】
上記の載置部材の奥行は、引出の前板の前面から載置部材の背面側の後端までの長さとしてよい。これにより、載置部材または被収納物が収納庫内から引き出され終わる前に上昇し、収納庫内の天面または上位の引出の外側の底面等に衝突することを確実に防止できる。
【００１７】
上記のプーリは、後述する支持部材の後方に延設された部分に枢着されていることにより、載置部材はプーリと一体となってレールに案内されるため、傾斜部に沿って上昇することが可能である。また、プーリはレールの上側かつ奥側よりに配置された上プーリと、レールの下側且つ前側よりに配置された下プーリとからなるとよい。このようにプーリを配置したことにより、２つのプーリを同時に上下に案内することができると共に、２つのプーリに間隔を設けることができるためにアームの水平を保つことができる。
【００１８】
上記の奥側始点は水平部上に位置しているとしてよい。これにより、載置部材は引き出し開始から上昇開始までは水平移動をするため、載置部材または被収納物が収納庫内を移動する際に収納庫の天面や上段の引出の底面等に接触することを防止できる。
【００１９】
上記課題を解決するために、本発明の他の代表的な構成は、被収納物を収納可能な引出をスライド自在に収容可能な収納庫であって、引出内に配置され、被収納物を載置可能な載置部材と、載置部材を上下方向に昇降させる昇降機構と、を備え、昇降機構は、収納庫内の壁面に配置されるレールと、レールに案内されるプーリを有し、レールは、引出を引き出す方向の力を載置部材を上昇させる方向の力に変換する傾斜部と、傾斜部に連続し、傾斜部より奥側に設けられた水平部とを有し、収納庫から引出を最も引き出したときにプーリが位置する前側始点から水平部と傾斜部の交点である上昇起点までの長さが、引出を最も引き出したときの引出の突出量から載置部材の奥行を引いた長さよりも短いことを特徴とする。
【００２０】
上記構成によれば、引き出された引出を収納庫に押し戻す際、載置部材は下降し終えてから収納庫内に入るため、載置部材または被収納物の背面が、収納庫の前板の前面または上位の引き出しの前板の前面等に衝突することを防止できる。
【００２１】
上記の引出の突出量は、収納時における当該引出の前板の前面から、当該引出を最も引き出したときにおける当該引出の前板の前面までの長さとしてよい。また、載置部材の奥行は、当該引出の前板の前面から載置部材の背面までの長さとしてよい。これにより、載置部材もしくは被収納物のいずれか一方または両方の背面が、収納庫の前板の前面または上位の引き出しの前板の前面等に衝突することを確実に防止できる。
【００２２】
上記のプーリは、後述する支持部材の後方に延設された部分に枢着されていることにより、載置部材はプーリと一体となってレールに案内されるため、傾斜部に沿って下降することが可能である。また、プーリはレールの上側かつ奥側よりに配置された上プーリと、レールの下側且つ前側よりに配置された下プーリとからなるとよい。このようにプーリを配置したことにより、２つのプーリを同時に上下に案内することができると共に、２つのプーリに間隔を設けることができるためにアームの水平を保つことができる。
【００２３】
引出は、載置部材を支持する支持部材を更に備え、載置部材は、支持部材に着脱可能であり、昇降機構は、支持部材を上下方向に移動させることで載置部材を上昇または降下させてもよい。
【００２４】
上記構成によれば、載置部材を任意に交換したり、引出に大きな被収納物を収納するために載置部材を外しておくなど、汎用性のある収納庫とすることが可能である。
【００２５】
引出は、支持部材と隣接する柱部材と、支持部材と柱部材とを連結するバネと、を更に備え、バネは、上端を柱部材に、下端を支持部材に連結し、昇降機構は、支持部材を上方向に移動させる力にバネの復元力を付加し、載置部材を上昇させてもよい。
【００２６】
上記構成によれば、傾斜部による載置部材の上昇をバネの復元力が付勢することで、引出を引き出す動作に掛かる載置部材の上昇に伴う負加を軽減し、使用者の負担を軽くすることができる。
【００２７】
バネは、単数または複数のバネが着脱可能に構成されていてもよい。これにより載置部材を上昇させる力を調節することができ、引出の位置や大きさに応じて想定される被収納物の重量を適切に支持することができる。
【００２８】
載置部材は、天面が開放された箱状であってもよい。これによれば、引出内に散在しやすい菜箸等の小型の調理器具を載置部材にまとめておき、載置部材以外の引出内のスペースには鍋等の大型の調理器具を収納しておくなど、引出内の整理整頓を行うことが可能となる。
【００２９】
載置部材は、引出の前板の背面に隣接する位置に設けられていてもよい。これによれば、載置部材は引出内の最も手前に設けられることとなる。これにより、載置部材内の被収納物の効率的な取り出しが可能となり、利便性を向上させることができる。
【００３０】
載置部材が２以上設けられていてもよい。これによれば、被収納物や引出内の状況に応じて複数の載置部材を使い分けることが可能となり、利便性をより向上させることができる。
【発明の効果】
【００３１】
本発明によれば、被収納物等が収納庫内の天面等に衝突することを防止でき、また被収納物を、簡易な機構かつ容易な操作で上昇させることが可能な収納庫を提供することができる。
【図面の簡単な説明】
【００３２】
【図１】本実施形態に係る収納庫を備えるシステムキッチンを示す図である。
【図２】引出の内部構成を説明する斜視図である。
【図３】レールとプーリの構成を説明する図である。
【図４】載置部材を説明する斜視図である。
【図５】柱部材とバネを説明する図である。
【図６】摺動部材を説明する図である。
【図７】柱部材と摺動部材の組み合わせを説明する図である。
【図８】摺動部材の摺動を説明する図である。
【図９】昇降機構による載置部材の移動を説明する断面図である。
【図１０】昇降機構の各部位を説明する断面図である。
【発明を実施するための形態】
【００３３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３４】
図１は、本実施形態にかかる収納庫を備えるシステムキッチンの全体構成を説明する図である。図１に示すように、システムキッチン１００（以下、キッチン１００と称する。）は、キッチンの全体の上面を覆う天板１１０（ワークトップとも称される。）を備える。本実施形態において、天板１１０は合成樹脂素材（人工大理石）を用いて形成されているが、これに限定するものではなく、ステンレス材を使用して形成されていてもよい。
【００３５】
天板１１０の上面には、組み込みで取り付けられたコンロ１１２、調理スペース１１４、一体に形成されたシンク１１６、が設けられる。天板１１０の下は、コンロ１１２が設置されているコンロキャビネット１２０と、調理スペース１１４を備えるベースキャビネット１３０、シンク１１６が設置されているシンクキャビネット１４０で構成している。各キャビネットは収納庫として機能し、キャビネット内の空きスペースには、コンロ１１２への配線や、シンク１１６および水栓への給排水管などが収容されている。
【００３６】
このように、天板１１０はシステムキッチン１００全体に亘って連続しているにも拘らず、天板１１０の下では、天板１１０の上のコンロ１１２やシンク１１６といった各構成に対応したキャビネットが複数設けられている。これによりシステムキッチン１００の構成を異ならせたときにも、キャビネット単位で引出や前板などの部品を準備すればよく、生産効率を向上させることができる。ここでいうシステムキッチンの構成とは、例えば調理スペース１１４やシンク１１６の幅などである。
【００３７】
各キャビネットは、本実施形態においては被収納物を収納可能な様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配置されている。コンロキャビネット１２０の中央部、すなわちグリル１１２ａの下には幅の広い大きな引出１２４を配置し、鍋やボウルなどの比較的大きな調理器具を収納可能になっている。またコンロキャビネット１２０の下部の床近傍には、引出式の足下収納であるフロアコンテナ１２６が配置されている。
【００３８】
同様に、ベースキャビネット１３０には、上部に底の浅い引出１３１、底の深い大きな引出１３２およびフロアコンテナ１３６が備え付けられ、シンクキャビネット１４０にはフロアコンテナ１４６から天板１１０に到る高い前板を備えた引出１４４が備え付けられている。
【００３９】
次に、引出の内部構成と昇降機構について説明する。図１に示されたベースキャビネット１３０に設置されている引出１３２を例にとって説明するが、他の引出も昇降機構を備えていてよい。
【００４０】
図２は昇降機構を備えた引出１３２の内部構成を説明するために、ベースキャビネット１３０の内部側から見た斜視図である。引出１３２には、内部に被収納物を載置可能な載置部材１５０が引出１３２の前板の背面に隣接する位置に配置されており、また引出１３２はスライド自在にベースキャビネット１３０に収納されている。
【００４１】
本発明の実施形態にかかる昇降機構は、ベースキャビネット１３０の壁面に配置されたレール１６０と、当該レール１６０に案内されるプーリ１６８、１６９を有している。プーリ１６８、１６９は後述する支持部材に枢着されている。レール１６０には傾斜部１６２が設けられており、またレール１６０の傾斜部１６２の奥側には奥側水平部１６４が、前側には前側水平部１６６が、傾斜部１６２に連続して設けられている。
【００４２】
また引出１３２は、載置部材１５０を支持する支持部材を更に備えている。支持部材は梁２０６と摺動部材２０４とアーム１７８で構成されている。アーム１７８には上記のレール１６０に案内されるプーリ１６８、１６９が枢着されている。
【００４３】
図３に示すように、プーリ１６８、１６９はレール１６０の上側かつ奥側よりに配置された上プーリ１６８と、レール１６０の下側且つ前側よりに配置された下プーリ１６９で構成されている。このように２つのプーリ１６８、１６９でレール１６０を挟み込むことにより、アーム１７８が水平の姿勢を保った状態で支持部材に支持された載置部材１５０はプーリ１６８、１６９と一体となってレール１６０に案内される。
【００４４】
引出１３２を引き出す時、レール１６０に設けられた傾斜部１６２は、引出１３２を引き出す方向の力Ｆ０を載置部材１５０を上昇させる方向の力Ｆ１（分力）に変換する。よって、昇降機構は、支持部材を上下方向に移動させることで載置部材１５０を上昇または降下させることが可能となる。
【００４５】
図４は載置部材１５０を説明する斜視図である。載置部材１５０は、天面が開放された箱状であり、いわゆるポケット形状を成している。載置部材１５０はＬ字部２２０を有しており、図２に示すように支持部材の梁２０６に吊下することによって載置部材１５０が支持部材に対して着脱可能に構成されている。これにより、載置部材１５０が交換可能となるため、形状や容積、取り付ける個数などを選択することができる。また載置部材１５０を取り外せることから、清掃も容易となる。
【００４６】
また、載置部材１５０は１つの引出１３２内に２以上設けられることも可能である。
【００４７】
引出１３２は、支持部材の摺動部材２０４と隣接する柱部材２００（図２参照）と、摺動部材２０４と柱部材２００とを連結するバネ２０２を更に備えている。以下、柱部材２００とバネ２０２について詳述する。
【００４８】
図５は、柱部材２００とバネ２０２の構成を説明する図である。図２に示したように、柱部材２００は引出１３２の前板の背面に隣接する位置の左右両側に設けられており、図５の左右の柱部材２００は、引出１３２をベースキャビネット１３０の内部側からみた状態（図２の状態）での左右の柱部材２００に対応した図である。
【００４９】
柱部材２００は、摺動部材２０４の凸部２１２が上下方向に挿通される凹部２１４、摺動部材２０４を上下に案内する断面Ｔ字状の上下レール２１５を備えている。凹部２１４の上方には、バネ２０２の上端を固定する連結部分２０８が設けられている。また柱部材２００は、引出１３２の前板の背面に固定設置するための固定部２１７を備えている。
【００５０】
図６は摺動部材２０４の構成を説明する図である。摺動部材２０４は、上述した柱部材２００と同じく引出１３２の前板の背面に隣接する位置の左右両側に設けられており、図６の左右も図２での左右に対応したものである。
【００５１】
摺動部材２０４は、柱部材２００の凹部２１４と嵌合する凸部２１２、柱部材２００の上下レール２１５を挿通する上下溝２１３を備えている。凸部２１２は内部が空洞であって、バネ２０２を収容する。凸部２１２の下方には、バネ２０２の下端を固定する連結部分２１０が設けられている。上下溝２１３は断面がＴ字状の溝であって、上下レール２１５から脱落することなく上下に摺動可能に構成されている。また凸部２１２と凹部２１４も、上下レール２１５と上下溝２１３と同様に、組み合わされたまま摺動部材２０４が柱部材２００に対して上下方向に摺動可能になっている。なお摺動部材２０４は、梁２０６を接続する梁接続部２０４ａを有している。
【００５２】
バネ２０２は、上端を柱部材２００の連結部分２０８に、下端を摺動部材２０４の連結部分２１０に連結されている。バネ２０２は引張バネであって、常に摺動部材２０４を引き上げる方向に作用する。なお、本実施形態ではバネ２０２は、片方の柱部材２００につき２本連結されているが、１本でも実施可能である。引出の位置や大きさに応じて想定される被収納物の重量に応じてバネ２０２の本数や強さを選択することが好ましい。
【００５３】
図７は、柱部材２００と摺動部材２０４の組み合わせを説明する図である。図示された柱部材２００と摺動部材２０４は、上述した内の左側のものを上から見た状態である。摺動部材２０４の凸部２１２は、柱部材２００の凹部２１４へ矢印２１６方向に嵌合することで両者は組み合わさる。
【００５４】
詳しくは、柱部材２００の下方から、上下レール２１５と上下溝２１３（図６）、凹部２１４と凸部２１２を組み合わせながら、柱部材２００と摺動部材２０４とをスライドさせて嵌合させる。このときバネ２０２は柱部材２００の連結部分２０８（図５）に連結されており、バネ２０２を凸部２１２の空洞に挿入しながら組み立てを行う。そして摺動部材２０４が柱部材２００の上端に到達したところで、バネ２０２の下端を摺動部材２０４の連結部分２１０に接続させる。柱部材２００の連結部分２０８は凹部２１４内に設置されているが、図７では図示は省略している。
【００５５】
図８は、上記した内の左側の摺動部材２０４の摺動を説明するための図、図９および図１０は昇降機構による載置部材１５０の移動と各部位を説明する断面図である。図８（ａ）は摺動部材２０４が下降している状態を示しており、図８（ｂ）は摺動部材２０４が上昇している状態を示している。また図９（ａ）は引出１３２がベースキャビネット１３０に収納されている状態を示す図、図９（ｂ）は載置部材１５０が上昇開始する直前状態を示す図、図９（ｃ）は載置部材１５０の上昇途中を示した図、図９（ｄ）は引出１３２を最も引き出した状態を示す図である。
【００５６】
図８（ａ）に示すように、摺動部材２０４が下降しているときにはバネ２０２が伸張しており、その弾性力によって引き上げられる力Ｆ２が発生している。そして図８（ｂ）に示すように、摺動部材２０４は柱部材２００の概ね上端まで上昇することができる。
【００５７】
ここで、摺動部材２０４、載置部材１５０およびこれに収納された被収納物の重量は、バネ２０２と、プーリ１６８、１６９およびレール１６０からなるリンク機構の双方によって支持される。さらに詳細には、昇降を司るのはプーリ１６８、１６９とレール１６０であって、バネ２０２は常に重量を軽減する作用を有している。仮にバネ２０２を設けなかった場合には、アーム１７８前側の重量が大きくなって傾くために、柱部材２００と摺動部材２０４の摺動摩擦が高くなり、円滑な昇降動作が阻害されるおそれがある。そのため、バネ２０２は確実な動作のために重要な役割を有している。
【００５８】
図９（ａ）に示すように引出１３２が収容されている状態において、上プーリ１６８が位置する位置を奥側始点Ｐ１とする。奥側始点Ｐ１は奥側水平部１６４上に位置している。ここから、引き出しを開始すると上プーリ１６８はレール１６０の奥側水平部１６４に沿って移動することで、載置部材１５０も水平移動することになる。
【００５９】
更に引き出し続けると、上プーリ１６８は奥側水平部１６４を通過した後、図９（ｂ）に示すように、上昇起点Ｐ２に到達することになる。上昇起点Ｐ２は奥側水平部１６４と傾斜部１６２の交点であり、引出１３２を引き出す時に載置部材１５０が上昇開始する点である。
【００６０】
ここで、奥側始点Ｐ１から上昇基点Ｐ２までの長さＬ１が、載置部材１５０の奥行きＬ２よりも長く設定している。これにより、上プーリ１６８が上昇起点Ｐ２に到達するときに、載置部材１５０はその全体が既にベースキャビネット１３０から引き出されていることになる。載置部材１５０の奥行きＬ２とは、引出１３２の前板の前面から載置部材１５０のＬ字部２２０の背面側の後端までの長さである。このことから、載置部材１５０はベースキャビネット１３０の外に出てから上昇することになる。
【００６１】
さらに引出１３２を引き出すことによって、図９（ｃ）に示したように上プーリ１６８が上昇起点Ｐ２を越え傾斜部１６２に移動すると、柱部材２００は引出１３２と一体となって水平移動し続ける一方、摺動部材２０４は傾斜部１６２に沿って上方向へ移動する（矢印１８８で示した軌道）。
【００６２】
この上昇移動中には、プーリ１６８、１６９とレール１６０によって変換された上昇させる方向の力Ｆ１（図２参照）と、バネ２０２によって引き上げられる力Ｆ２（図８（ａ）参照）の合力によって、載置部材１５０を上昇させることが可能となる。
【００６３】
更に引き出しを続けると、図９（ｄ）に示すように載置部材１５０は可動範囲の上端に至る。このとき上プーリ１６８はレール１６０の前側水平部１６６に至り、プーリ１６８、１６９とレール１６０による上昇させる方向の力Ｆ１（図２）は発生しなくなる。また図８（ｂ）に示したように載置部材１５０が柱部材２００の概ね上端に達することにより、バネ２０２によって引き上げられる力Ｆ２も弱くなる。そのため載置部材１５０は、引出１３２と共に水平移動するようになる。
【００６４】
引出１３２を最も引き出した状態において、上プーリ１６８が位置する位置を前側始点Ｐ３とする。前側始点Ｐ３は、前側水平部１６６の上に位置している。このとき上プーリ１６８は、支持部材の後部の重量を支持して水平姿勢を維持する役割を有している。下プーリ１６９は役割を有しないため、前側水平部１６６の前端よりも突出し、レール１６０から外れた状態となっていてもよい。これにより引出１３２の引出量に対する制限を少なくすることができる。
【００６５】
図９（ｄ）に示した状態から引出１３２を押し込む場合には、上記と逆の動作をする。ここで、前側始点Ｐ３から上昇起点Ｐ２までの長さＬ３が、引出１３２を最も引き出したときの引出の突出量Ｌ４から載置部材１５０の奥行Ｌ２を引いた長さＬ５よりも短くなるように設定している。これにより、載置部材１５０が収納庫１５２内に収納され始めるときには、既に傾斜部１６２に沿って下降し終えていることになる。すなわち、図９（ｂ）に示した載置部材１５０の位置になってから収納される。
【００６６】
以上のことから、載置部材１５０は収納庫外１５２で上下方向に昇降され、収納庫１５２内では奥側水平部１６４に沿って水平方向にのみ移動するため、ベースキャビネット１３０の内壁や上の引出の前板等への衝突を避けることができる。
【００６７】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６８】
本発明は、例えばキッチンのように引出を備えた収納庫に利用することができる。
【符号の説明】
【００６９】
１００…システムキッチン、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６…フロアコンテナ、１３０…ベースキャビネット、１３１…引出、１３２…引出、１３６…フロアコンテナ、１４０…シンクキャビネット、１４４…引出、１４６…フロアコンテナ、１５０…載置部材、１５２…収納庫、１６０…レール、１６２…傾斜部、１６４…水平部、１６８…上プーリ、１６９…下プーリ、Ｐ１…奥側始点、Ｐ２…上昇起点、Ｐ３…前側始点、１７８…アーム、１８８…矢印、２００…柱部材、２０２…バネ、２０４…摺動部材、２０４ａ…梁接続部、２０６…梁、２０８…連結部分、２１０…連結部分、２１２…凸部、２１３…上下溝、２１４…凹部、２１５…上下レール、２１６…矢印、２１７…固定部、２２０…Ｌ字部
【図１】
2010183989.tif 000003
【図２】
2010183989.tif 000004
【図３】
2010183989.tif 000005
【図４】
2010183989.tif 000006
【図５】
2010183989.tif 000007
【図６】
2010183989.tif 000008
【図７】
2010183989.tif 000009
【図８】
2010183989.tif 000010
【図９】
2010183989.tif 000011
【図１０】
2010183989.tif 000012
【手続補正書】
【提出日】平成21年3月5日(2009.3.5)
【手続補正１】
【補正対象書類名】明細書
【補正対象項目名】００３７
【補正方法】変更
【補正の内容】
【００３７】
各キャビネットは、本実施形態においては被収納物を収納可能な様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配置されている。コンロキャビネット１２０の中央部、すなわちグリル１１２ａの下には幅の広い大きな引出１２４を配置し、鍋やボウルなどの比較的大きな調理器具を収納可能になっている。またコンロキャビネット１２０の下部の床近傍には、引出式の足元収納庫１２６が配置されている。
【手続補正２】
【補正対象書類名】明細書
【補正対象項目名】００３８
【補正方法】変更
【補正の内容】
【００３８】
同様に、ベースキャビネット１３０には、上部に底の浅い引出１３１、底の深い大きな引出１３２および足元収納庫１３６が備え付けられ、シンクキャビネット１４０には足元収納庫１４６から天板１１０に到る高い前板を備えた引出１４４が備え付けられている。
【手続補正３】
【補正対象書類名】明細書
【補正対象項目名】００６９
【補正方法】変更
【補正の内容】
【００６９】
１００…システムキッチン、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６…足元収納庫、１３０…ベースキャビネット、１３１…引出、１３２…引出、１３６…足元収納庫、１４０…シンクキャビネット、１４４…引出、１４６…足元収納庫、１５０…載置部材、１５２…収納庫、１６０…レール、１６２…傾斜部、１６４…水平部、１６８…上プーリ、１６９…下プーリ、Ｐ１…奥側始点、Ｐ２…上昇起点、Ｐ３…前側始点、１７８…アーム、１８８…矢印、２００…柱部材、２０２…バネ、２０４…摺動部材、２０４ａ…梁接続部、２０６…梁、２０８…連結部分、２１０…連結部分、２１２…凸部、２１３…上下溝、２１４…凹部、２１５…上下レール、２１６…矢印、２１７…固定部、２２０…Ｌ字部